(57)【特許請求の範囲】
【請求項１】
一つの胴回り開口及び一対の脚回り開口を備え、これら脚回り開口を画定する脚回り領域がそれぞれ伸長性又は伸縮性を有している、パンツ型の使い捨てオムツであって、
前側部分と後側部分と股部分とを備え、
オムツ展開時において、前側部分及び後側部分は縦方向に互いに離間され、股部分は横断方向中間位置を縦方向に延びて前側部分及び後側部分にそれぞれ前側接合領域及び後側接合領域を介し接合され、
前側部分の側縁領域及び後側部分の側縁領域が互いに接合されてパンツ型の使い捨てオムツが形成され、
股部分にはその両側縁領域に沿って側方弾性部材が伸長状態でそれぞれ取り付けられ、
前側接合領域及び後側接合領域はそれぞれ、その縦方向両端の周りに設けられた、股部分の横断方向ほぼ全体に延びる２つの幅広領域と、これら２つの幅広領域同士間を連続的に延びる、幅広領域よりも横断方向に幅狭の幅狭領域とを含み、
前記前側部分にはその上縁領域に沿って前側上方弾性部材が伸長状態で取り付けられ、前記後側部分にはその上縁領域に沿って後側上方弾性部材が伸長状態で取り付けられ、
前側上方弾性部材及び後側上方弾性部材はそれぞれ、横断方向中間位置において中断する中断領域を含み、これら中断領域の両側において、前側上方弾性部材は前記前側部分の上縁領域に近い方の幅広領域と重なっており、かつ前記後側上方弾性部材は前記後側部分の上縁領域に近い方の幅広領域と重なっている、
使い捨てオムツ。
【請求項２】
前記前側部分にはその下縁領域に沿って前側下方弾性部材が伸長状態で取り付けられ、前記後側部分にはその下縁領域に沿って後側下方弾性部材が伸長状態で取り付けられ、前記脚回り領域が、股部分の一側に位置する前側部分の下縁領域及び後側部分の下縁領域とこれら下縁領域間に位置する股部分の側縁領域と、股部分の他側に位置する前側部分の下縁領域及び後側部分の下縁領域とこれら下縁領域間に位置する股部分の側縁領域とを含んでいる、請求項１に記載の使い捨てオムツ。
【請求項３】
前記側方弾性部材は前記前側下方弾性部材及び後側下方弾性部材のうち少なくとも一方と交差するように配置される、請求項２に記載の使い捨てオムツ。
【請求項４】
股部分の一側に位置する前側部分の下縁領域及び後側部分の下縁領域並びにこれら下縁領域間に位置する股部分の側縁領域と、股部分の他側に位置する前側部分の下縁領域及び後側部分の下縁領域並びにこれら下縁領域間に位置する股部分の側縁領域とにそれぞれ、伸長性又は伸縮性を有する脚回りシートが接合され、前記脚回り領域がこれら脚回りシートを含んでいる、請求項１から３までのいずれか一項に記載の使い捨てオムツ。
【請求項５】
前記股部分は、着用者に面する表面と、前記前側部分及び前記後側部分に面する裏面とを有しており、前記側方弾性部材は股部分の表面よりも股部分の裏面に隣接するように配置される、請求項１から４までのいずれか一項に記載の使い捨てオムツ。
【請求項６】
前記股部分は、吸収体と、吸収体の両側を縦方向に延びる一対のサイドフラップとを含み、各サイドフラップにはその長手方向に沿ってフラップ弾性部材が伸長状態で取り付けられる、請求項１から５までのいずれか一項に記載の使い捨てオムツ。
【請求項７】
前記フラップ弾性部材は前側上方弾性部材及び後側上方弾性部材と交差するように配置される、請求項６に記載の使い捨てオムツ。
【発明の詳細な説明】
【技術分野】
【０００１】
本発明は使い捨てオムツに関する。
【背景技術】
【０００２】
一つの胴回り開口及び一対の脚回り開口を備えるパンツ型の使い捨てオムツであって、前側部分と後側部分と股部分とを備え、オムツ展開時において、前側部分及び後側部分は縦方向に互いに離間され、股部分は横断方向中間位置を縦方向に延びて前側部分及び後側部分にそれぞれ接合され、前側部分の側縁領域及び後側部分の側縁領域が互いに接合されてパンツ型にされる、使い捨てオムツが公知である（特許文献１参照）。このオムツでは、股部分と前側部分の下縁領域とが部分的に接合されておらず、股部分と後側部分の下縁領域とが部分的に接合されていない。その結果、装着時に股部分が変形し易くなり、パンツ型オムツの装着が容易になる。
【先行技術文献】
【特許文献】
【０００３】
【特許文献１】特開２００８−１９４１６１号公報
【発明の概要】
【発明が解決しようとする課題】
【０００４】
しかしながら、上述のオムツでは、股部分が前側部分の下縁領域及び後側部分の下縁領域とそれぞれ部分的に接合されていない。その結果、尿又は便がオムツ外部に漏れるおそれがある。
【課題を解決するための手段】
【０００５】
本発明によれば、一つの胴回り開口及び一対の脚回り開口を備え、これら脚回り開口を画定する脚回り領域がそれぞれ伸長性又は伸縮性を有している、パンツ型の使い捨てオムツであって、前側部分と後側部分と股部分とを備え、オムツ展開時において、前側部分及び後側部分は縦方向に互いに離間され、股部分は横断方向中間位置を縦方向に延びて前側部分及び後側部分にそれぞれ前側接合領域及び後側接合領域を介し接合され、前側部分の側縁領域及び後側部分の側縁領域が互いに接合されてパンツ型の使い捨てオムツが形成され、股部分にはその両側縁領域に沿って側方弾性部材が伸長状態でそれぞれ取り付けられ、前側接合領域及び後側接合領域のうち少なくとも一方は、その縦方向両端の周りに設けられた、股部分の横断方向ほぼ全体に延びる幅広領域と、これら幅広領域同士間に設けられた、幅広領域よりも横断方向に幅狭の幅狭領域とを含む、使い捨てオムツが提供される。
【発明の効果】
【０００６】
尿又は便がオムツ外部に漏れるのを抑制することができる。
【図面の簡単な説明】
【０００７】
【図１】本発明による実施例の使い捨てオムツの展開図である。
【図２】股部分の横断方向断面図である。
【図３】着用時におけるオムツを示す略図である。
【図４】本発明による別の実施例の使い捨てオムツの展開図である。
【図５】本発明による更に別の実施例の使い捨てオムツの展開図である。
【図６】股部分の別の例を示す、図２と同様の断面図である。
【発明を実施するための形態】
【０００８】
図１を参照すると、パンツ型の使い捨てオムツ１は前側部分４Ｆ、後側部分４Ｂ及び股部分４Ｃを備える。なお、図１において、Ｌはオムツ１の縦方向を、Ｔは縦方向に直交する横断方向を、それぞれ示している。
【０００９】
図１に示される例では、前側部分４Ｆ及び後側部分４Ｂはそれぞれ長方形状をなしており、オムツ展開時に縦方向Ｌに互いに離間して配置される。
【００１０】
前側部分４Ｆにはその上縁領域４ＦＵに沿って前側上方弾性部材５ＦＵが伸長状態で取り付けられ、その下縁領域４ＦＬに沿って前側下方弾性部材５ＦＬが伸長状態で取り付けられる。同様に、後側部分４Ｂにはその上縁領域４ＢＵに沿って後側上方弾性部材５ＢＵが伸長状態で取り付けられ、その下縁領域４ＢＬに沿って後側下方弾性部材５ＢＬが伸長状態で取り付けられる。これら前側上方弾性部材５ＦＵ、前側下方弾性部材５ＦＬ、後側上方弾性部材５ＢＵ、後側下方弾性部材５ＢＬはそれぞれ、ほぼ横断方向Ｔに延びる１つ又は複数の糸状弾性部材から構成される。
【００１１】
前側部分４Ｆ及び後側部分４Ｂはそれぞれ互いに重ねられた２枚の液不透過性シートを備え、弾性部材５ＦＵ，５ＦＬ，５ＢＵ，５ＢＬはそれぞれ対応する２枚の液不透過性シート間に伸長状態で配置されてこれらシートに接合される。
【００１２】
図１に示される例では、前側部分４Ｆのうち前側下方弾性部材５ＦＬと前側上方弾性部材５ＦＵとの間の中間領域４ＦＩ、及び、後側部分４Ｂのうち後側上方弾性部材５ＢＵと後側下方弾性部材５ＢＬとの間の中間領域４ＢＩにはそれぞれ、弾性部材が設けられていない。
【００１３】
前側部分４Ｆ及び後側部分４Ｂはそれぞれ、非伸縮性もしくは伸縮性不織布シート、プラスチックシート等から構成できる。具体的には、例えば、目付が約１０〜４０ｇ／ｍ２の範囲にある、スパンボンド不織布、ポイントボンド不織布、ＳＭＳ（スパンボンド・メルトブローン・スパンバンド）不織布、不透液性のプラスチックフィルム、それらのラミネート等を用いることができる。伸縮性シートとして、例えば、ウレタン、スチレンのような熱可塑性エラストマ樹脂を溶融した伸縮繊維からなる不織布等を用いることができる。
【００１４】
股部分４Ｃは長方形状をなし、縦方向Ｌに延びて横断方向中間位置において前側部分４Ｆ及び後側部分４Ｂにそれぞれ前側接合領域６Ｆ及び後側接合領域６Ｂを介し接合される。
【００１５】
前側接合領域６Ｆは、前側接合領域６Ｆの縦方向Ｌ両端の周りに設けられた、股部分４Ｃの横断方向Ｔほぼ全体に延びる幅広領域６ＦＷと、これら幅広領域６ＦＷ，６ＦＷ同士間に設けられた、幅広領域６ＦＷ，６ＦＷよりも横断方向Ｔに幅狭の幅狭領域６ＦＮとを含む。図１に示される例では、幅広領域６ＦＷは股部分４Ｃの前縁領域４ＣＦの周り及び前側部分４Ｆの下縁領域４ＦＬの周りにそれぞれ位置する。また、図１に示される例では、幅狭領域６ＦＮは一対の幅広領域６ＦＷ，６ＦＷ同士間を縦方向Ｌに連続的に延びている。その結果、股部分４Ｃと前側部分４Ｆとが互いに接合されていない非接合領域７Ｆが形成される。これら非接合領域７Ｆは幅広領域６ＦＷ，６ＦＷ及び幅狭領域６ＦＮによって部分的に囲われている。
【００１６】
前側上方弾性部材５ＦＵは前側接合領域６Ｆ、特に前側部分４Ｆの上縁領域４ＦＵに近い方の幅広領域６ＦＷと重なっており、前側下方弾性部材５ＦＬは前側接合領域６Ｆ、特に前側部分４Ｆの下縁領域４ＦＬに近い方の幅広領域６ＦＷと重なっている。
【００１７】
後側接合領域６Ｂは、後側接合領域６Ｂの縦方向Ｌ両端の周りに設けられた、股部分４Ｃの横断方向Ｔほぼ全体に延びる幅広領域６ＢＷと、これら幅広領域６ＢＷ，６ＢＷ同士間に設けられた、幅広領域６ＢＷ，６ＢＷよりも横断方向Ｔに幅狭の幅狭領域６ＢＮとを含む。図１に示される例では、幅広領域６ＢＷは股部分４Ｃの後縁領域４ＣＢの周り及び後側部分４Ｂの下縁領域４ＢＬの周りにそれぞれ位置する。また、図１に示される例では、幅狭領域６ＢＮは一対の幅広領域６ＢＷ，６ＢＷ同士間を縦方向Ｌに連続的に延びている。その結果、股部分４Ｃと後側部分４Ｂとが互いに接合されていない非接合領域７Ｂが形成される。これら非接合領域７Ｂは幅広領域６ＢＷ，６ＢＷ及び幅狭領域６ＢＮによって部分的に囲われている。
【００１８】
後側上方弾性部材５ＢＵは後側接合領域６Ｂ、特に後側部分４Ｂの上縁領域４ＢＵに近い方の幅広領域６ＢＷと重なっており、後側下方弾性部材５ＢＬは後側接合領域６Ｂ、特に後側部分４Ｂの下縁領域４ＢＬに近い方の幅広領域６ＦＷと重なっている。
【００１９】
図１に示される例では、幅広領域６ＦＷ，６ＢＷは長方形状をなしている。すなわち、幅広領域６ＦＷ，６ＢＷの横断方向長さは縦方向Ｌに沿ってほぼ一定になっている。
【００２０】
前側接合領域６Ｆ及び後側接合領域６Ｂは例えばホットメルト接着剤から構成される。
【００２１】
図２に示されるように、股部分４Ｃは、例えば液透過性のトップシート４ＣＴＳと、液不透過性のバックシート４ＣＢＳと、これらトップシート４ＣＴＳとバックシート４ＣＢＳとの間に保持された吸収体４ＣＡと、吸収体４ＣＡの両側を縦方向Ｌに延びる一対のサイドフラップ４ＣＳＦ，４ＣＳＦとを備える。吸収体４ＣＡは例えば繊維集合体及び高吸収ポリマー粒子の一方又は両方を備える吸収コアを含む。繊維集合体は例えば粉砕パルプ及び熱可塑性合成繊維の一方又は両方から構成される。吸収体４ＣＡは吸収コアを包むラップシートを含んでもよい。図１に示される例では、サイドフラップ４ＣＳＦ，４ＣＳＦはバックシート４ＣＢＳと一体的に形成される。サイドフラップをバックシートと別部材から形成してもよい。
【００２２】
図１にも示されるように、股部分４Ｃにはその両側縁領域４ＣＳ，４ＣＳに沿って側方弾性部材５ＣＳが伸長状態でそれぞれ取り付けられ、各サイドフラップ４ＣＳＦにはその長手方向に沿ってフラップ弾性部材５ＣＳＦが伸長状態で取り付けられる。これら側方弾性部材５ＣＳ及びフラップ弾性部材５ＣＳＦはそれぞれ、ほぼ縦方向Ｌに延びる１つ又は複数の糸状弾性部材から構成される。
【００２３】
股部分４Ｃは、着用者に面する表面４ＣＦＦと、前側部分４Ｆ及び後側部分４Ｂに面する裏面４ＣＢＦとを有する。側方弾性部材５ＣＳは股部分４Ｃの表面４ＣＦＦよりも股部分４Ｃの裏面４ＣＢＦに隣接するように配置される。また、側方弾性部材５ＣＳ及びフラップ弾性部材５ＣＳＦはそれぞれ、前側部分４Ｆの前側上方弾性部材５ＦＵ及び前側下方弾性部材５ＦＬ、並びに、後側部分４Ｂの後側上方弾性部材５ＢＵ及び後側下方弾性部材５ＢＬと交差するように配置される。
【００２４】
バックシート４ＣＢＳ及びサイドフラップ４ＣＳＦ，４ＣＳＦは、互い重ねられた２枚の不織布と、これら不織布同士の間に配置された熱可塑性シートのような液不透過性シートとを含む。上述の側方弾性部材５ＣＳ及びフラップ弾性部材５ＣＳＦはこれら不織布同士の間に保持される。
【００２５】
サイドフラップ４ＣＳＦ，４ＣＳＦは使用時、吸収体４ＣＡから起立し、防漏部材として機能する。
【００２６】
図１に示されるように、前側部分４Ｆ及び後側部分４Ｂはそれぞれ、縦方向Ｌに延びる側縁領域４ＦＳ，４ＢＳを有しており、これら側縁領域４ＦＳ，４ＢＳが互いに接合される。その結果、図３に示されるように、一つの胴回り開口１Ｗ及び一対の脚回り開口１Ｌ，１Ｌを備えるパンツ型のオムツ１が形成される。なお、前側部分４Ｆ、後側部分４Ｂ及び股部分４Ｃは着用時にそれぞれ、着用者Ｗの腹側、背側、及び股側に位置する。
【００２７】
すなわち、前側部分４Ｆの上縁領域４ＦＵ及び後側部分４Ｂの上縁領域４ＢＵによって一つの胴回り開口１Ｗが画定される。また、股部分４Ｃの一側において、前側部分４Ｆの下縁領域４ＦＬ及び後側部分４Ｂの下縁領域４ＢＬと、これら下縁領域４ＦＬ，４ＢＬ同士間の股部分４Ｃの側縁領域４ＣＳとによって、一方の脚回り開口１Ｌが画定される。同様に、股部分４Ｃの他側において、前側部分４Ｆの下縁領域４ＦＬ及び後側部分４Ｂの下縁領域４ＢＬと、これら下縁領域４ＦＬ，４ＢＬ同士間の股部分４Ｃの側縁領域４ＣＳとによって、他方の脚回り開口１Ｌが画定される。
【００２８】
言い換えると、図１から図３に示される例では、脚回り開口１Ｌ，１Ｌを画定する脚回り領域は、股部分４Ｃの一側に位置する前側部分４Ｆの下縁領域４ＦＬ及び後側部分４Ｂの下縁領域４ＢＬとこれら下縁領域４ＦＬ，４ＢＬ間に位置する股部分４Ｃの側縁領域４ＣＳと、股部分４Ｃの他側に位置する前側部分４Ｆの下縁領域４ＦＬ及び後側部分４Ｂの下縁領域４ＢＬとこれら下縁領域４ＦＬ，４ＢＬ間に位置する股部分４Ｃの側縁領域４ＣＳとを含んでいる。その上で、これら脚回り領域は、前側下方弾性部材５ＦＬ、後側下方弾性部材５ＢＬ、及び側方弾性部材５ＣＳにより、弾性ないし伸縮性を有している。なお、側方弾性部材５ＣＳは前側下方弾性部材５ＦＬ及び後側下方弾性部材５ＢＬとそれぞれ交差しているので、前側下方弾性部材５ＦＬ、後側下方弾性部材５ＢＬ、及び側方弾性部材５ＣＳはリング状に連続している。
【００２９】
また、図１から図３に示される例では、オムツ１はボクサーパンツ型をなしている。すなわち、オムツ１は、着用時に着用者Ｗのソケイ部ないし股部ＷＣを越えて着用者Ｗの大腿部ＷＴまで下方に延びている。
【００３０】
その結果、脚回り開口１Ｌ，１Ｌの周りにおいて、オムツ１が大腿部ＷＴに密着される。したがって、脚回り開口１Ｌ，１Ｌから尿や便が漏れるのを抑制することができる。
【００３１】
その結果、着用者Ｗとオムツ１との間の空間を、尿等を一時的に保持する保持空間として利用することが可能となる。保持空間内に保持された尿はその後、吸収体４ＣＡに吸収される。
【００３２】
しかも、図１に示される例では、前側部分４Ｆ及び後側部分４Ｂと股部分４Ｃとの間に非接合領域７Ｆ，７Ｂが設けられている。その結果、上述の保持空間がこれら非接合領域７Ｆ，７Ｂだけ拡大される。したがって、尿等のモレを確実に抑制することができる。
【００３３】
更に、図１に示される例では、非接合領域７Ｆ，７Ｂは、弾性部材が設けられていない中間領域４ＦＩ，４ＢＩ内に設けられる。その結果、非接合領域７Ｆ，７Ｂに位置する前側部分４Ｆの部分及び後側部分４Ｂの部分が着用者Ｗに向けて付勢されていないので、尿等が非接合領域７Ｆ，７Ｂにより構成される保持空間内に容易に流入できる。
【００３４】
また、図１に示される例では、股部分４Ｃに、股部分４Ｃの表面４ＣＦＦよりも股部分４Ｃの裏面４ＣＢＦに隣接するように側方弾性部材５ＣＳが設けられる。これら側方弾性部材５ＣＳは使用時に、主として、股部分４Ｃ、特に吸収体４ＣＡを着用者に向けて引き上げるよう作用する。その結果、尿の吸収によって吸収体４ＣＡの重量が増加した場合であっても、股部分４Ｃ、特に吸収体４ＣＡが着用者に密着し続けることが促進され、したがってモレが更に確実に抑制される。この意味で、側方弾性部材５ＣＳはフラップ弾性部材５ＣＳＦと性質を異にしている。
【００３５】
使用時、脚回り開口１Ｌ，１Ｌに着用者Ｗの脚がそれぞれ通され、オムツ１が引き上げられる。この場合、非接合領域７Ｆ，７Ｂが設けられているので、股部分４Ｃが前側部分４Ｆ及び後側部分４Ｂに対し、比較的容易に変形することができる。したがって、オムツ１の引き上げが容易になる。
【００３６】
また、前側部分４Ｆの前側下方弾性部材５ＦＬ及び後側部分４Ｂの後側下方弾性部材５ＢＬが股部分４Ｃの側方弾性部材５ＣＳと交差しているので、股部分４Ｃが横断方向Ｔに拡げられる。その結果、股部分１に好ましくないシワが形成されるのが抑制される。したがって、吸収体４ＣＡの吸収面を広く維持することができるので、尿の吸収体４ＣＡへの吸収が促進される。
【００３７】
図４は本発明による別の実施例を示している。なお、図４では、股部分４Ｃのサイドフラップ４ＳＦ、側方弾性部材５ＣＳ及びフラップ弾性部材５ＣＳＦの図示が省略されている。
【００３８】
図４に示される例では、前側接合領域６Ｆのうち前側部分４Ｆの上縁領域４ＦＵに近い方の幅広領域６ＦＷが幅狭領域６ＦＮに向けて先細になっている。すなわち、上縁領域４ＦＵに近い方の幅広領域６ＦＷの横断方向長さは幅狭領域６ＦＮに近くなると短くなる。同様に、後側接合領域６Ｂのうち後側部分４Ｂの上縁領域４ＢＵに近い方の幅広領域６ＢＷが幅狭領域６ＢＮに向けて先細になっている。すなわち、上縁領域４ＢＵに近い方の幅広領域６ＢＷの横断方向長さは幅狭領域６ＦＮに近くなると短くなる。
【００３９】
更に、図４に示される例では、前側上方弾性部材５ＦＵは横断方向Ｔの中間位置において中断する中断領域５ＦＵＩを含み、中断領域５ＦＵＩの両側において前側接合領域６Ｆ、特に前側部分４Ｆの上縁領域４ＦＵに近い方の幅広領域６ＦＷと重なっている。同様に、後側上方弾性部材５ＢＵは横断方向Ｔの中間位置において中断する中断領域５ＢＵＩを含み、中断領域５ＢＵＩの両側において後側接合領域６Ｂ、特に後側部分４Ｂの上縁領域４ＢＵに近い方の幅広領域６ＢＷと重なっている。その結果、股部分４Ｃが横断方向Ｔに、より確実に拡げられる。
【００４０】
図５は本発明による更に別の実施例を示している。なお、図５では、弾性部材及び接合領域の図示が省略されている。
【００４１】
図５に示される例では、股部分４Ｃの一側に位置する前側部分４Ｆの下縁領域４ＦＬ及び後側部分４Ｂの下縁領域４ＢＬとこれら下縁領域４ＦＬ，４ＢＬ間に位置する股部分４Ｃの側縁領域４ＣＳとに伸長性又は伸縮性を有する第１の脚回りシート８１が接合される。同様に、股部分４Ｃの他側位置する前側部分４Ｆの下縁領域４ＦＬ及び後側部分４Ｂの下縁領域４ＢＬとこれら下縁領域４ＦＬ，４ＢＬ間に位置する股部分４Ｃの側縁領域４ＣＳとに伸長性又は伸縮性を有する第２の脚回りシート８２が接合される。
【００４２】
第１及び第２の脚回りシート８１，８２にはそれぞれ、オムツ１の内方に向かう切欠き８１Ｃ，８２Ｃが形成される。これら切欠き８１Ｃ，８２Ｃはそれぞれ、ほぼ横断方向Ｔに延びる長軸を有する半楕円状をなしている。
【００４３】
製造時、前側部分４Ｆの側縁領域４ＦＳと後側部分４Ｂの側縁領域４ＢＳとが互いに接合される。また、切欠き８１Ｃの前方及び後方に位置する第１の脚回りシート８１の側縁領域８１Ｓ同士が互いに接合される。切欠き８２Ｃの前方及び後方に位置する第２の脚回りシート８２の側縁領域８２Ｓ同士が互いに接合される。その結果、第１の脚回りシート８１により一方の脚回り開口が画定され、第２の脚回りシート８２により他方の脚回り開口が画定される。
【００４４】
着用時、第１の脚回りシート８１及び第２の脚回りシート８２は着用者の大腿部に密着する。したがって、脚回り開口からのモレを更に抑制することができる。
【００４５】
すなわち、図５に示される例では、脚回り開口１Ｌ，１Ｌを画定する脚回り領域は、第１の脚回りシート８１及び第２の脚回りシート８２を含んでいる。その上で、これら脚回り領域は、第１の脚回りシート８１及び第２の脚回りシート８２自体により、伸長性又は伸縮性を有している。
【００４６】
この場合、前側部分４Ｆの前側下方弾性部材５ＦＬ、後側部分４Ｂの後側下方弾性部材５ＢＬ及び側方弾性部材５ＣＳと、第１の脚回りシート８１及び第２の脚回りシート８２とによって、モレをより確実に抑制することができる。もっとも、これら弾性部材５ＦＬ，５ＢＳ又は弾性部材５ＦＬ，５ＢＳ，５ＣＳを省略することもできる。
【００４７】
図６は股部分４Ｃの別の例を示している。図６に示される例では、バックシート４ＣＢＳを構成するシートが、股部分４Ｃの裏面４ＣＢＦに隣接する位置において、互いに重ね合わされ、それによって追加のサイドフラップ４ＣＳＦＡ，４ＣＳＦＡが形成される。追加のサイドフラップ４ＣＳＦＡ，４ＣＳＦＡはサイドフラップ４ＣＳＦ，４ＣＳＦの外側において、吸収体４ＣＡの両側を縦方向に延びる。また、追加のサイドフラップ４ＣＳＦＡ，４ＣＳＦＡには、それぞれの長手方向に沿って追加のフラップ弾性部材５ＣＳＦＡが伸長状態で取り付けられる。
【００４８】
図６に示される例では、脚回り領域は、前側下方弾性部材５ＦＬ、後側下方弾性部材５ＢＬ及び側方弾性部材５ＣＳと、第１の脚回りシート８１及び第２の脚回りシート８２とのうち一方又は両方と、追加のフラップ弾性部材５ＣＳＦＡとにより、弾性ないし伸縮性を有している。その結果、脚回り開口１Ｌ，１Ｌからのモレを更に確実に抑制することができる。
【００４９】
これまで述べてきた本発明による実施例では、前側接合領域６Ｆ及び後側接合領域６Ｂの両方が幅広領域６ＦＷ，６ＢＷ及び幅狭領域６ＦＮ，６ＢＮを含んでいる。しかしながら、前側接合領域６Ｆ及び後側接合領域６Ｂのいずれか一方が幅広領域６ＦＷ，６ＢＷ及び幅狭領域６ＦＮ，６ＢＮを含むようにしてもよい。例えば、前側接合領域６Ｆ及び後側接合領域６Ｂのいずれか一方を、その横断方向Ｔ長さがほぼ一定になるように形成してもよい。
【００５０】
また、これまで述べてきた本発明による実施例では、股部分４Ｃの側方弾性部材５ＣＳは、前側部分４Ｆの前側下方弾性部材５ＦＬ及び後側部分４Ｂの後側下方弾性部材５ＢＬの両方と交差している。しかしながら、側方弾性部材５ＣＳが前側下方弾性部材５ＦＬ及び後側部分４Ｂの後側下方弾性部材５ＢＬのいずれか一方と交差するようにしてもよい。
【００５１】
これまで述べてきた本発明による種々の実施例を互いに組み合わせてもよい。
【符号の説明】
【００５２】
１    使い捨てオムツ
１Ｗ    胴回り開口
１Ｌ    脚回り開口
４Ｆ    前側部分
４ＦＬ    下縁領域
４ＦＳ    側縁領域
４Ｂ    後側部分
４ＢＬ    下縁領域
４ＢＳ    側縁領域
４Ｃ    股部分
４ＣＦ    前縁領域
４ＣＢ    後縁領域
４ＣＳ    側縁領域
５ＦＬ    前側下方弾性部材
５ＢＬ    後側下方弾性部材
５ＣＳ    側方弾性部材
６Ｆ    前側接合領域
６ＦＷ    幅広領域
６ＦＮ    幅狭領域
６Ｂ    後側接合領域
６ＢＷ    幅広領域
６ＢＮ    幅狭領域
【図１】
0005868105.tif 000002
【図２】
0005868105.tif 000003
【図３】
0005868105.tif 000004
【図４】
0005868105.tif 000005
【図５】
0005868105.tif 000006
【図６】
0005868105.tif 000007